(57)【要約】【課題】例えばインターネットのような公共的なネットワークを経由して送受信されたメールの内容を第三者の妨害を受けることなく、正しく表示する表示装置を提供する【解決手段】電子メール送受信手段を具備したコンピュータとこのコンピュータに接続された文字情報表示手段を具備した受信メール内容表示装置であって、前記コンピュータのメモリ上にメール送信元アドレステーブルを持ち、このテーブルに登録されたアドレスから受信したメールの内容のみ表示するプログラムを具備する。【選択図】  図１
2018045667.tif 000002
【特許請求の範囲】
【請求項１】
電子メール送受信手段を具備したコンピュータと、前記コンピュータに接続された、または、前記コンピュータと一体的に形成された、スクロール可能かつ暗い所でも視認可能に設定された文字情報表示手段を具備した表示装置であって、前記コンピュータは、特定の電子メール送信元アドレスから受信したメール内容のみを前記文字情報表示手段に表示させるプログラム具備したことを特徴とする表示装置。
ここで、前記コンピュータは、そのメモリ上にメール送信元アドレステーブルを具備する。
また、前記コンピュータは、前記送信元アドレステーブルを表示するための表示画面とそのアドレスを有効化するための設定手段を具備する。
【請求項２】
電子メール送受信手段を具備したコンピュータと、前記コンピュータに接続された、または、前記コンピュータと一体的に形成された、文字情報表示手段を具備した表示装置であって、前記コンピュータは、特定の電子メール送信元アドレスから受信したメール内容のみを前記文字情報表示手段で表示させるプログラム具備したことを特徴とする表示装置。
ここで、前記コンピュータは、そのメモリ上にメール送信元アドレステーブルを具備する。
また、前記コンピュータは、前記送信元アドレステーブルを表示するための表示画面とそのアドレスを有効化するための設定手段を具備する。
また、前記コンピュータは、前記文字情報表示手段に表示した際にその内容を前記電子メール送信元アドレステーブルに登録されたアドレスにメールとして送るプログラムを具備する。
また、前記コンピュータは、予め自らのメモリ上に設定された時間だけ前記文字情報表示手段に表示させ、設定された時間が経過したら表示を終了させ、その旨を前記電子メール送信元アドレステーブル登録されたアドレスにメールとして送るプログラムを具備する。
【発明の詳細な説明】
【技術分野】
【０００１】
本発明は、電子メールで受信した文字情報を表示する表示装置に関するものである。
【背景技術】
【０００２】
電子メールで受信した内容を表示器に表示させる装置としては、例えば、特許文献１に示すような物が提案されている。
【特許文献１】特開２００６−１４６５６４号公報
【発明の開示】
【発明が解決しようとする課題】
【０００３】
特許文献１の発明では、例えば、ビルの屋上にある表示器、あるいは、そのビルの各所にある表示器をビル内の一つの端末装置から電子メールで操作するのに適するものであって、ビル外部からインターネット上の電子メールで操作するような場合に、適するものではない。
【０００４】
その理由は、特許文献１で言うサーバ装置をインターネット上の電子メールを受けられるように構成した場合、その電子メールアドレスを何らかの方法で知りえた悪意の第三者が表示内容を操作できてしまう恐れがあるからである。
【０００５】
同一ビル内のような閉ざされたシステムでしか安全に運用できないことは、大いに不便である。
【０００６】
また、特許文献１の発明では、表示内容の指示以外に、表示状態を示すステータス情報を取得する場合や表示開始時刻、表示終了時刻の指示をする場合に、特許文献１で言う端末装置とサーバ装置の間で複雑なやり取りが必要であり面倒である。
【０００７】
本発明は、上記のような問題点に鑑みなされたものであり、遠隔地からでもインターネット経由で、安全に表示器を操作することを可能にすると同時に、表示情報発生元と表示操作実行先との間のやり取りを簡略化し使い勝手を向上させることを目的とする。
【課題を解決するための手段】
【０００８】
請求項１に記載する発明は、電子メール送受信手段を具備したコンピュータのメモリ上にメール送信元アドレステーブルを持ち、このテーブルに登録されたアドレスから受信したメールの内容のみ表示するプログラムを具備する。
【０００９】
請求項２に記載する発明は、電子メール送受信手段を具備したコンピュータが文字情報表示手段に受信メール内容を表示させた際に、確かに表示したものとして、その内容を電子メール送信元アドレステーブル登録されたアドレスにメールとして送るプログラムを具備する。
【００１０】
また、請求項２に記載する発明では、電子メール送受信手段を具備したコンピュータは、予め自らのメモリ上に設定された時間だけ前記文字情報表示装置に表示させ、設定された時間が経過すれば表示を終了させ、その旨を前記電子メール送信元アドレステーブル登録されたアドレスにメールとして送るプログラムを具備する
【発明の効果】
【００１１】
請求項１発明では、インターネットのような公衆のネットワークを介して受信したメールであっても、予めメール送信元アドレステーブルに登録されたアドレスから受信したメール内容のみを表示させるので、悪意の第三者からのメールを誤って表示することがなく安全である。
【００１２】
請求項２発明では、表示を依頼するメールの送信元では、単に表示させたい内容を含んだメールを送信するだけで、後は、表示操作をする側の電子メール送受信手段を具備したコンピュータが、自動的に表示した内容を知らせてくるので、余計な手数なく確かにに表示されたことを確認できる。
【００１３】
さらに、前記電子メール送受信手段を具備したコンピュータがそのメモリ上に設定された時間に従い、自動的に表示を終了させて、その旨をメールで送ってくるので表示を依頼したメールの送信元では、余計な手数なく確かに表示が終了したことを確認できる。
【発明を実施するための最良の形態】
【００１４】
まず、図１を用いてシステム全体の構成を説明する。
【００１５】
図１のタブレットコンピュータ１は、タッチパネル機能を有するLCD表示画面と無線LANインターフェイスとUSBインターフェイスを具備する。
【００１６】
本実施例では、７インチサイズの画面を持ち、OSとしてWindows10を搭載した物を使用したがこれに限るものではない。また、本発明の実施に必要な機能を有するコンピュータであれば、タブレットコンピュータに限定するものでもない。
【００１７】
LED表示パネル２は、LED光点のマトリックスで文字を表現するタイプで、横一列に８文字表示可能である。また、LED表示パネル２は、USBインターフェイスにより、表示する文字を受け取る。スクロールや点滅などの表示のさせ方も、USBインターフェイスにより制御可能である。スクロール表示は、表示器の文字数の制限を受けずに、長い文章が表示できるので都合が良い。また、LED表示であるので、当然、暗い所でも視認可能であるという利点を有する。
【００１８】
USBケーブル３は、前記タブレットコンピュータ１とLED表示パネル２の間を接続するものである。
【００１９】
Wi-Fi端末４は、前記タブレットコンピュータ１を無線通信によりインターネットに接続するものである。
【００２０】
本発明では、コンピュータをインターネットに接続する方法をWi-Fi経由に限定するものではない。有線の電気信号であっても、光信号であっても良い。
【００２１】
インターネット５上には、今回のメールのやり取りに関与する、図示しない送信と受信のメールサーバーが存在する。
【００２２】
スマートフォン６や携帯電話７は、インターネット上でメールを送受信する機能を有するものである。本実施例では、スマートフォン６や携帯電話７としているが、インターネット上でメール送受信できるデバイスであれば、パソコンなどであっても良い。
【００２３】
次にシステム全体の機能を説明する。端的には、本システムは、スマートフォン６や携帯電話７から送信されたメールをLED表示パネル２に表示させるものである。
【００２４】
例えば、営業時間外は、無人である店舗の店頭にLED表示パネル２を入電状態で掲げて置き、自宅や出先からスマホ６や携帯電話７を使って、所望の告知事項を表示させる用途などが考えられる。
【００２５】
さらに具体的には、通常の営業開始ができないときに「本日は、急用のため午後１時から開店致します」と表示させるといった具合である。これにより、顧客は、いつも通りでない事象に対する不安を軽減され、ビジネスチャンスが拡大する。
【００２６】
このシステムを運用する際、問題となるのがセキュリティである。第三者の妨害により、容易に意図しない表示がなされるようでは、使い物にならない。
【００２７】
タブレットコンピュータ１が受けたメールを何でも表示してしまうのであれば、このメールアドレスを知りえた悪意の第三者が、無用の表示をさせないとも限らない。
【００２８】
本発明は、この問題を解決するものである。ここからは図２も用いて説明する。
【００２９】
図２に示すように、本発明では、メール送信元アドレステーブル１０をタブレットコンピュータ１のメモリ上に備えて、ここに表示を許すべきメール送信元アドレスを登録しておき、これを参照して、表示すべき受信メールのみ、その内容を表示するようにしている。
【００３０】
メール送信元アドレステーブル１０の作成方法は、例えば次のようである。
【００３１】
初めに、スマートフォン６や携帯電話７など、あるいはもっと他のメール送信元候補のデバイスから、空メールをタブレットコンピュータ１に送信する。
【００３２】
タブレットコンピュータ１は、メールを受信して、そのアドレスをメール送信元アドレステーブル１０にリストアップする。
【００３３】
この段階では、単にメールを受信するだけで、メールを開けることも、LED表示パネル２に表示することもしない。
【００３４】
次に、図示しない管理者が、タブレットコンピュータ１の画面を開いて、メール送信元アドレステーブル１０を表示させる。
【００３５】
管理者は、タブレットコンピュータ１のタッチパネルを操作して、リストアップされたメールアドレスの中から、LED表示パネル２に表示させたいメール送信先アドレスに、登録済みの印をつけて、表示するメールアドレスとして設定する。
【００３６】
また、表示時間設定値１１も、予め管理者が、タブレットコンピュータ１から設定しておくものである。
【００３７】
例えば、本実施例では、２４時間に設定している。表示時間を制限するのは、
図示しない利用者が、表示させた後、消すことを忘れてしまい、不要の表示がいつまでも残ることを防ぐためである。
【００３８】
次に図２の表示処理プログラム８に付いて説明する。
【００３９】
タブレットコンピュータ１に搭載された表示処理プログラム８は、図示しないインターネット上の受信メールサーバーに、例えば１分毎にアクセスして受信操作を行う。
【００４０】
この時、新たなメールを受信したならば、その送信元アドレスが、メール送信元アドレステーブル１０に照らして、LED表示パネル２に表示すべきメールかどうかを判定する。
【００４１】
表示すべきメールであった場合、そのメールを開いて、内容をLED表示パネル２に送る。これが表示操作である。
【００４２】
この表示操作が、うまく行った場合、タブレットコンピュータ１は、そのメールの送信元、あるいは、全てのメール送信元アドレステーブル１０に登録されたアドレスに、表示を開始した事を知らせる文言と表示した内容を付した表示確認メールを送信する。
【００４３】
そして、表示時間のカウントを開始すべく、図示しないメモリ上の表示中状態フラグをセットする。
【００４４】
表示処理プログラム８は、この一連の表示処理を繰り返す。
【００４５】
次に、図２の表示終了処理プログラム９に付いて説明する。
【００４６】
タブレットコンピュータ１に搭載された表示終了処理プログラム９は、図示しないメモリ上の表示中状態フラグを参照して、このフラグが立っていれば、定期的に図示しない表示時間のカウントを歩進し、表示時間設定値１１に照らして、表示時間が終了したかどうか判定する。
【００４７】
表示終了処理プログラム９は、表示時間が、終了したならば、LED表示パネル２に対し、スペースコードを送り何も表示しない状態に移行させる。これが表示終了操作である。
【００４８】
そして、今まで表示していたメールの送信元、あるいは、全てのメール送信元アドレステーブル１０に登録されたアドレスに、表示が終了した事を知らせる文言と表示していた内容を付した表示終了メールを送信し、メモリ上の表示中フラグをリセットしておく。表示処理終了プログラム９は、この一連の表示終了処理を繰り返す。
【００４９】
実際の表示プログラム８や表示終了処理プログラム９では、先行メールの表示が終了する前に、次メールを受けた場合の処理などが存在するが、ここでは簡単のために省略する。以上が本発明の主たる説明である。
【００５０】
本発明では、受信したメールが、表示すべきものであるかどうかの判定に、そのメールの送信元メールアドレスを使用している。
【００５１】
この方法では、メールの中に含まれるパスワードなどより安全であり、管理不要であり、忘れる心配もない。
【００５２】
なぜならば、本発明では、不要のメールを開けることをしないので、メールを開いたことによるウイルスの侵入などを完全に防げる。
【００５３】
また、パスワードであれば、第三者に探知されたり漏れたりすれば、安全が
損なわれてしまうが、送信元メールアドレスは、例え第三者に知られたとしても、第三者がそのメールアドレスを装って送信することは、極めて困難である。
【００５４】
また、管理不要であり、忘れる心配のないことは、利用者自らのメールアドレスであるので当然のことである。
【図面の簡単な説明】
【００５５】
【図１】本実施形態に於けるシステム全体の構成を説明する図である。
【図２】本発明に於けるプログラムの流れとメモリ上のテーブルを説明する図である。
【符号の説明】
【００５６】
１  タブレットコンピュータ
２  LED文字表示パネル
３  USBケーブル
４  Wi-Fi端末
５  インターネット
６  スマートフォン
７  携帯電話
８  受信メール内容表示処理プログラム
９  受信メール内容表示終了処理プログラム
１０  メモリ上のメール送信元アドレステーブル
１１  メモリ上の表示時間設定値
【図１】
2018045667.tif 000003
【図２】
2018045667.tif 000004